(57)【要約】
【課題】携帯及び長時間の使用に適した、且つ照明器具の照射距離の調整が行える、携帯型照明装置を提供する。
【解決手段】照明装置本体１０に光駆動装置２０，スイッチ２１，並びに数個の発光ダイオードによる発光エレメント１２を設け、該数個の発光ダイオードの内、少なくとも一つの発光ダイオードの前端には平面透光レンズ１６を設け、その他の該発光ダイオードの前端には集光レンズ１５を設け、該集光レンズ１５後端の発光ダイオードが該集光レンズ１５を通して比較的遠くまで照射できるようにすることで、これらを切り替えて異なる照射距離を選択して、或いは同時に照射できるようにする。
【選択図】        図１
0003101074.tif 000002
【実用新案登録請求の範囲】
【請求項１】
本体と、第一集光カバーと、第二発光カバーと、集光レンズと、光駆動装置と、より構成される携帯方型明装置において、
該本体は、中空な内部に光駆動装置によって駆動する数個の発光ダイオードからなる発光エレメントが設けられて、発光エレメントの発光方向に面した平面透光レンズを具有する外カバーが片側に設けられてなり、
該第一集光カバーは、該外カバー中の一つの発光エレメントの外部に設けられ、該第二集光カバーは、該外カバー中のその他の発光エレメントの外部に設けられていると共に、該集光レンズは、透光凸レンズであり、該第二集光カバー至端部に設けられて該第二集光カバー内部の発光エレメントが発する光束を集光させるように構成され、
該光駆動装置は、該本体上に設けられており、各該発光エレメントの発光動作を制御し、該本体中の電池を動力とするように構成されていることを特徴とする照射距離の遠近が調整可能な携帯型照明装置。
【請求項２】
該第一集光カバー中の発光エレメントは、該第二発光カバー中の発光エレメントよりも距離が更に該平面透光レンズに接近していることを特徴とする請求項１記載の照射距離の遠近が調整可能な携帯型照明装置。
【請求項３】
該外カバー外部には可動カバーが設けられており、
該可動カバーは、該外カバー上にて縦向きに往復して移動させることにより焦点距離を調整する作用を提供するべく、該第一集光レンズ位置に面した位置を平面状の透光レンズとし、該第二集光カバー位置に対応した位置は透光凸レンズ状の集光レンズとすることを特徴とする請求項１記載の照射距離の遠近が調整可能な携帯型照明装置。
【請求項４】
該スイッチは電子部品によるものであることを特徴とする請求項１記載の照射距離の遠近が調整可能な携帯型照明装置。
【考案の詳細な説明】
【技術分野】
【０００１】
本考案は照射距離の遠近が調整可能な携帯型照明装置に係り、特に発光ダイオードを照明光源とした携帯型のランプや懐中電灯タイプの照明装置において、平面透光レンズや集光レンズを設けることにより、持ち運びに便利且つ遠近照射効果及びその調整に優れる携帯型照明装置に関わる。
【背景技術】
【０００２】
従来の携帯型照明装置としては、ランプや懐中電灯などがある。主な使用目的には夜間の工事やキャンプなどがあり、一般には電球を光源としたものが主流である。
【考案の開示】
【考案が解決しようとする課題】
【０００３】
しかし上述のような公知の電球に頼った光源では電力の消耗が激しく、長時間の使用に耐えないことが欠点となっている。長時間使用する場合には大量の予備電池を準備しなければならず、持ち運びに不便となってしまう。
ところで、こういった欠点を解決するべく、現在では更に小型化の進んだ携帯型のランプや懐中電灯が考案されているが、照明機能の上では何ら進歩がないばかりか、逆に外観の小型化に合わせ、内部の発光エレメントも小型化しなければならず、相対的に照度が弱くなってしまい、近距離での照射、例えば引出しの中の物を探す、バッグの中の物を探す、といった目的のみにしか適応していないといった新たな欠点が生じている。
更にはこういった公知の携帯型照明装置には、一定の照射距離のみしか機能しておらず、時と場合に応じて照射距離を調整することが不可能であり、実用性に欠ける。
そこで上述の欠点に鑑み、携帯及び長時間の使用に相応しく、且つ照明器具の照射距離の調整が行える、本考案の照射距離の遠近が調整可能な携帯型照明装置を提供する。
【課題を解決するための手段】
【０００４】
主に照明装置本体に発光駆動装置，スイッチ，並びに数個の発光ダイオードによる発光エレメントを設け、該数個の発光ダイオードの内、少なくとも一つの発光ダイオードの前端にはフレネルレンズなどの平面透光レンズを設け、その他の該発光ダイオード
の前端には集光レンズを設け、該集光レンズ後端の発光ダイオードが該集光レンズを通して比較的遠くまで照射できるようにすることで、異なる照射距離を選択して、或いは同時に照射できるようにする。
【考案の効果】
【０００５】
本考案によると、近距離照射と遠距離照射とを選択して照射を行う、或いはこれらの照射が同時に行われる作用が提供され、且つ発光ダイオードによって構成される発光エレメントは照度が高い他、消耗される電力も少ないことから、長時間に渡る照明にも適しており、夜間の工事やキャンプなどに相応しい携帯型の照明装置の使用を更に便利にする目的が達成された。
【考案を実施するための最良の形態】
【０００６】
本考案の照射距離の遠近が調整可能な携帯型証明装置は、図１に示すように、本体１０を含み、その片側には中空の外カバー１１が設けられており、該外カバー１１内部にはそれぞれ光駆動装置２０が設けられて数個の発光ダイオード（LED）によって構成される発光エレメント１２を駆動させる。該外カバー１１は該発光エレメント１２の発光方向に面しており、透光性を具有する平面透光レンズ１６によって構成されているものとする。
第一集光カバー１３は該外カバー１１中の少なくとも一つの発光エレメント１２外部に設けられており、第二集光カバー１４は該外カバー１１中のその他の発光エレメント１２外部に設けられているものとする。
集光レンズ１５においては、該第二集光カバー１４至端部設けられており、該第二集光カバー１４内部の発光エレメント１２が発する光束に対して集束作用を提供するものである。
該光駆動装置２０は該本体１０上に設けられており、該発光エレメント１２の発光作用を制御し、該本体１０中の電池（図中なし）によって動力が提供される。
スイッチ２１においては、該本体１０上に設けられており、該光駆動装置２０のオン／オフを制御する。
【０００７】
上述の構造により、該スイッチ２１を操作して該光駆動装置２０によって上述の各発光エレメント１２を発光させると、該第一集光カバー１３中に位置する発光エレメント１２が前端に設けられた該平面透光レンズ１６を通し、所望の照度及び照射距離、即ち本実施例中の近距離照射区域３０が得られる。
また該第二集光カバー１４中の発光エレメント１２は、その光源が透光凸レンズ状を呈した集光レンズ１５の集光作用により、該第一集光カバー１３中の発光エレメント１２が遠くへと照射する光束となり、比較的遠くまでの照射、即ち本実施例中の遠距離照射区域４０が得られる。
【０００８】
上述のように、該光駆動装置２０及びスイッチ２１の簡単な操作により、任意に近距離照射と遠距離照射とを選択して照射する、或いはこれらを同時に照射させることができるようになるが、照明作用を制御する該光駆動装置２０においては、上述同様の効果を提供することができる一般の電子部品で以って該スイッチ２１としても構わない。
【０００９】
図２，３に示すように、本考案は該第一集光カバー１３中の発光エレメント１２を更にその前端の平面透光レンズ１６位置に接近させ、更に該第二集光カバー１４中の発光エレメント１２を前端の平面透光レンズ１６よりやや離れた場所に設置し、更に該発光エレメント１２前端には更に透光凸レンズ状を呈した集光レンズ１５を増設し、該集光レンズ１５の集光作用により、該第二集光カバー１４中の該発光エレメント１２は、該第一集光カバー１３中の発光エレメント１２よりも更に遠くまで照射できる光束となり、比較的遠い距離への照射、即ち本実施例中の遠距離照射区域４０が得られ、上述の第一実施例と同様の効果が得られる。
【００１０】
図４，６に示すように、該外カバー１１外部には、更に可動カバー１７を設けてもよく、該可動カバー１７は該外カバー１１上にて何度も縦向きの移動ができるよう設置されているものとする。
また該可動カバー１７の該第一集光カバー１３に面した位置は平面状を呈した透光レンズとなっており、該第二集光カバー１４に対応した位置は透光凸レンズ状を呈した集光レンズ１５となっており、該第一集光カバー１３及び第二集光カバー１４中の各発光エレメント１２がそれぞれ異なる遠近距離で光束を照射する照明効果を提供するのである。
更に該可動カバー１７は、該外カバー１１にて往復して縦向きに移動する作用を具有するため、各該発光エレメント１２の焦点距離を調整する効果を提供する。或いは該可動カバー１７は、図４，５に示すように、該外カバー１１と該可動カバー１７とは螺合するべく相互に面している。こうすることで、該可動カバー１７を回転させると、該可動カバー１７が該外カバー１１上にて往復して移動できる作用が提供され、各該発光エレメント１２の焦点距離を調整する効果が達成されるのである。
【図面の簡単な説明】
【００１１】
【図１】本考案における第一実施例の構造説明図である。
【図２】本考案における第二実施例の構造説明図である。
【図３】図２における構造説明側面図である。
【図４】本考案における第三実施例の構造説明図である。
【図５】図４における俯瞰図である。
【図６】図４における動作変化例を示す図である。
【符号の説明】
【００１２】
１０  本体
１１  外カバー
１２  発光エレメント
１３  第一集光カバー
１４  第二集光カバー
１５  集光レンズ
１６  平面透光レンズ
１７  可動カバー
２０  光駆動装置
２１  スイッチ
３０  近距離照射区域
４０  遠距離照射区域
【図１】
0003101074.tif 000003
【図２】
0003101074.tif 000004
【図３】
0003101074.tif 000005
【図４】
0003101074.tif 000006
【図５】
0003101074.tif 000007
【図６】
0003101074.tif 000008